【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
プロセスプラントにおける物理的現象を解析するための方法であって、
プロセスプラントにおける物理的現象をモバイルデバイスで検出することと、
前記検出した物理的現象を、前記物理的現象を表すデジタルデータに前記モバイルデバイスで変換することと、
前記デジタルデータをエキスパートシステムに伝送することと、および
１つ以上のプロセスエンティティの状態を判定するために前記エキスパートシステムで前記デジタルデータを解析することと
を含む、方法。
【請求項２】
前記物理的現象を検出することが、情景を検出すること、音を検出すること、又は振動を検出することを含む、請求項１に記載の方法。
【請求項３】
前記物理的現象を検出することが、炎を含む情景を検出することを含み、
前記デジタルデータを解析することが、
（ｉ）前記炎の１つ以上の部分に関連する色を解析すること、
（ｉｉ）前記炎の形状を解析すること、及び
（ｉｉｉ）前記炎の動きを解析すること
のうちの少なくとも一つを含む、請求項１又は２に記載の方法。
【請求項４】
前記物理的現象を検出することが、燃焼チャンバに関連する音を検出することを含む、請求項１〜請求項３のいずれか一項に記載の方法。
【請求項５】
（ｉ）前記物理的現象を検出することが、流体の移動に関連する音を検出することを含み、前記デジタルデータを解析することが、前記流体の移動に関連するキャビテーションを検出すること、及び
（ｉｉ）前記物理的現象を検出することが、流体の移動に関連する振動を検出することを含み、前記デジタルデータを解析することが、前記流体の移動に関連するキャビテーションを検出すること、
のうちの少なくとも一つを含む、請求項１〜請求項４のいずれか一項に記載の方法。
【請求項６】
前記物理的現象を検出することが、スタック頂部を含む情景を検出することを含み、前記デジタルデータを解析することが、
（ｉ）前記スタック頂部から放出された煙の色を解析すること、及び
（ｉｉ）前記スタック頂部から放出された煙の体積を解析すること
のうちの少なくとも一つを含む、請求項１〜請求項５のいずれか一項に記載の方法。
【請求項７】
前記物理的現象を検出することが、回転要素に関連する振動を検出することを含む、請求項１〜請求項６のいずれか一項に記載の方法。
【請求項８】
炎又は燃焼チャンバに関連する燃料組成を判定することをさらに含む、請求項１〜請求項７のいずれか一項に記載の方法。
【請求項９】
前記エキスパートシステムにおいて前記デジタルデータを解析することが、共通の形式を用いて構成データ、計測データ、バッチデータ、連続データ、及びイベントデータから選択される複数のタイプのプロセスデータを含む前記プロセスプラントに対応するプロセスデータを格納するように構成された１つ以上のデータストレージデバイスを含むユニット式の論理データストレージ領域から検索されたデジタルデータ及びプロセスデータを解析することを含む、請求項１〜請求項８のいずれか一項に記載の方法。
【請求項１０】
１つ以上のプロセスエンティティの状態を判定することが、
（ｉ）バーナの炎に関連する空気流、燃料流、又は燃料組成を判定すること、及び
（ｉｉ）燃焼チャンバの状態を判定すること
のうちの少なくとも一つを含む、請求項１〜請求項９のいずれか一項に記載の方法。
【請求項１１】
前記プロセスプラントにおける物理的現象をモバイルデバイスで検出することが、
赤外発光を検出すること、
可視光発光を検出すること、
紫外発光を検出すること、
ガスの濃度を検出すること、
可聴周波数範囲内の音を検出すること、
可聴以下の周波数を検出すること、及び
超可聴周波数を検出すること
のうちの１つ以上を含む、請求項１〜請求項１０のいずれか一項に記載の方法。
【請求項１２】
前記１つ以上のプロセスエンティティに関連する異常な条件を検出すること、
前記デジタルデータから前記異常な条件の原因を判定すること、
前記異常な条件を正すために１つ以上のプロセス制御パラメータの変更を自動的に開始すること、
前記異常な条件を正す行為を人員にとらせるために作業項目を自動的に作成すること、及び
前記異常な条件を解決するために是正措置がとられるべきであるという指標をオペレータに提供すること、
のうちの少なくとも一つをさらに含む、請求項１に記載の方法。
【請求項１３】
プロセスプラントにおける物理的現象を解析するためのシステムであって、
入力インターフェースを介して、プロセスプラントで生じた物理的現象を検出するように構成され、前記検出した物理的現象を表すデジタルデータを伝送するようにさらに構成される、モバイルデバイスと、および
前記デジタルデータを受信し、前記プロセスプラントにおける１つ以上のプロセスエンティティの状態を判定するために前記デジタルデータを解析するように構成されるエキスパートシステムと
を含む、システム。
【請求項１４】
前記エキスパートシステムが、前記１つ以上のプロセスエンティティの判定された状態に基づいてプロセス制御パラメータを修正するようにさらに構成される、請求項１３に記載のシステム。
【請求項１５】
前記プロセスプラントにおける前記１つ以上のプロセスエンティティの状態を判定するために前記デジタルデータを解析することが、前記デジタルデータから、前記１つ以上のプロセスエンティティに関連する異常な条件を判定することを含み、および
前記１つ以上のプロセスエンティティの判定された状態に基づいて前記プロセス制御パラメータを修正することが、前記異常な条件を正すために前記プロセス制御パラメータを修正することを含む、請求項１４に記載のシステム。
【請求項１６】
前記エキスパートシステムが、前記１つ以上のプロセスエンティティに関連する異常な条件を正すために人員によって行われるべき是正措置を指定する作業項目を作成するようにさらに構成される、請求項１３〜請求項１５のいずれか一項に記載のシステム。
【請求項１７】
前記入力インターフェースがイメージセンサを含み、および
前記プロセスプラントにおける前記１つ以上のプロセスエンティティの状態を判定するために前記デジタルデータを解析することが、前記物理的現象の１つ以上の属性を識別するためにイメージ又はビデオデータを解析することを含み、前記イメージ又はビデオデータが、前記イメージセンサを介して検出される、前記物理的現象を含む情景を表す、請求項１３〜請求項１６のいずれか一項に記載のシステム。
【請求項１８】
前記入力インターフェースがマイクロフォンを含み、および
前記プロセスプラントにおける前記１つ以上のプロセスエンティティの状態を判定するために前記デジタルデータを解析することが、前記物理的現象の１つ以上の属性を識別するために音声データを解析することを含み、前記音声データが、マイクロフォンを介して検出される、前記物理的現象に関連する音を表す、請求項１３〜請求項１７のいずれか一項に記載のシステム。
【請求項１９】
前記入力インターフェースが加速度計を含み、および
前記プロセスプラントにおける前記１つ以上のプロセスエンティティの状態を判定するために前記デジタルデータを解析することが、前記物理的現象の１つ以上の属性を識別するために振動データを解析することを含み、前記振動データが、加速度計を介して検出される、前記物理的現象に関連する振動を表す、請求項１３〜請求項１８のいずれか一項に記載のシステム。